(57)【特許請求の範囲】
【請求項１】
上方に開口する送風口を有する本体ケースと、
この本体ケース内に設けた送風手段と、
前記送風口の上方を、所定間隔をおいて覆った可動自在のルーバーとを備え、
前記ルーバーには、上下方向に風向を変化させる第１の風向変更手段と、左右方向に風向を変化させる第２の風向変更手段とを設け、
前記第１の風向変更手段は、前記ルーバーの送風先端側に回動自在に装着し、
前記第２の風向変更手段は、前記第１の風向変更手段の下面に回動自在に設け、
前記第１の風向変更手段は、第１の風向板部と、前記第１の風向板部の両側に第１の風向板支持受部とを備え、
前記第１の風向板部は、
前記ルーバーにおける先端側の第１の先端側風向板部分と、
前記ルーバーにおける根元側の第１の根元側風向板部分とを有し、
前記第１の先端側風向板部分は、前記第１の根元側風向板部分より上方に設け、
前記第１の根元側風向板部分は、前記ルーバーの下方に設けられ、前記第１の根元側風向板部分の送風根元側端部から伸びる第３の風向板部を備え、
前記第３の風向板部は、前記ルーバー側へ傾斜し、
前記第３の風向板部の先端が、前記ルーバーに接触することによって、前記ルーバーと前記第１の根元側風向板部分は、平行かつ一定の空間を設けることを特徴とする風向変更装置。
【請求項２】
前記ルーバーは、送風先端部の両側に送風先端方向に伸びる第１の風向板支持部を設け、これら両側の前記第１の風向板支持部間に、前記第１の風向変更手段を軸支させた請求項１に記載の風向変更装置。
【請求項３】
前記第２の風向変更手段は、第２の風向板部と、第２の風向板支持枠部とを備え、前記第１の風向変更手段の下面に前記第２の風向板支持枠部を設け、前記第２の風向板支持枠部と前記第１の風向変更手段との間に回動自在に前記第２の風向板部を備えたことを特徴とする請求項１に記載の風向変更装置。
【請求項４】
前記第２の風向板部は、前記ルーバーにおける先端側の第２の先端側風向板部分と、前記ルーバーにおける根元側の第２の根元側風向板部分とを有し、前記第２の先端側風向板部分の面積は、前記第２の根元側風向板部分の面積より大きいことを特徴とする請求項３に記載の風向変更装置。
【発明の詳細な説明】
【技術分野】
【０００１】
本発明は、除湿機などの空調装置の吹出口に使用される風向変更装置に関する。
【背景技術】
【０００２】
風向変更装置は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と左右方向に風向を変化させる第２の風向変更手段とを設け、第１の風向変更手段は、ルーバーの送風先端側に回動自在に装着し、第２の風向変更手段はルーバーの下側に介在自在に装着した構成となっていた（例えば、特許文献１参照）。
【先行技術文献】
【特許文献】
【０００３】
【特許文献１】特開２０１２−１９３８８５号公報
【発明の概要】
【発明が解決しようとする課題】
【０００４】
上記従来例における課題は、風向変更装置による風向方向調節の更なる向上が求められていることである。
【０００５】
すなわち、使用者が風向を変更する場合に、第２の風向変更手段を回動させることにより左右方向の風向調整ができるものであったが、第２の風向変更手段がルーバーの下側に設けられているために、左右方向の風向調節に制限があるものであった。
【０００６】
そこで本発明は、風向変更装置の風向調節の更なる向上を目的とするものである。
【課題を解決するための手段】
【０００７】
そしてこの目的を達成するために本発明は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と、左右方向に風向を変化させる第２の風向変更手段とを設け、前記第１の風向変更手段は、前記ルーバーの送風先端側に回動自在に装着し、前記第２の風向変更手段は、前記第１の風向変更手段の下面に回動自在に設け、前記第１の風向変更手段は、第１の風向板部と、前記第１の風向板部の両側に第１の風向板支持受部とを備え、前記第１の風向板部は、前記ルーバーにおける先端側の第１の先端側風向板部分と、前記ルーバーにおける根元側の第１の根元側風向板部分とを有し、前記第１の先端側風向板部分は、前記第１の根元側風向板部分より上方に設け、前記第１の根元側風向板部分は、前記ルーバーの下方に設けられ、前記第１の根元側風向板部分の送風根元側端部から伸びる第３の風向板部を備え、前記第３の風向板部は、前記ルーバー側へ傾斜し、前記第３の風向板部の先端が、前記ルーバーに接触することによって、前記ルーバーと前記第１の根元側風向板部分は、平行かつ一定の空間を設ける構成としたものであり、これにより初期の目的を達成するものである。
【発明の効果】
【０００８】
以上のように本発明は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と、左右方向に風向を変化させる第２の風向変更手段とを設け、前記第１の風向変更手段は、前記ルーバーの送風先端側に回動自在に装着し、前記第２の風向変更手段は、前記第１の風向変更手段の下面に回動自在に設け、前記第１の風向変更手段は、第１の風向板部と、前記第１の風向板部の両側に第１の風向板支持受部とを備え、前記第１の風向板部は、前記ルーバーにおける先端側の第１の先端側風向板部分と、前記ルーバーにおける根元側の第１の根元側風向板部分とを有し、前記第１の先端側風向板部分は、前記第１の根元側風向板部分より上方に設け、前記第１の根元側風向板部分は、前記ルーバーの下方に設けられ、前記第１の根元側風向板部分の送風根元側端部から伸びる第３の風向板部を備え、前記第３の風向板部は、前記ルーバー側へ傾斜し、前記第３の風向板部の先端が、前記ルーバーに接触することによって、前記ルーバーと前記第１の根元側風向板部分は、平行かつ一定の空間を設ける構成としたものであり、風向変更装置の風向調節を更に向上することができるものである。
【０００９】
すなわち、送風手段によって、本体ケースの送風口から上方向に吹き出した空気が、第１の風向変更手段に当たり、上下方向に風向が変化し、同時にその空気が第１の風向変更手段の下面に設けた第２の風向変更手段によって、左右方向に風向を変化させる。また、送風口から送風される空気を障害なく前記第１の風向変更手段の下側に取り込み、前記第１の風向変更手段１２に沿って流れる空気を自在に左右方向に変化させることができるものである。また、ビビリ音を抑制できる。
【００１０】
結果として、風向変更装置の風向調節を更に向上することができるものである。
【図面の簡単な説明】
【００１１】
【図１】本発明の実施形態１の風向変更装置の斜視図
【図２】同風向変更装置の本体の断面概略を示す図
【図３】同風向変更装置のルーバー部分の斜視図
【図４】同風向変更装置のルーバー部分の分解斜視図
【図５】同風向変更装置のルーバー部分の断面図
【図６】同風向変更装置のルーバー部分の動作を説明する断面図
【図７】同風向変更装置のルーバー部分の動作を説明する斜視図
【図８】同風向変更装置のルーバー部分の動作を説明する概略図（（ａ）第２の風向板部の送風先端側が広くなるように回動した状態を示す図、（ｂ）第２の風向板部の送風先端側が狭くなるように回動した状態を示す図）
【発明を実施するための形態】
【００１２】
本発明の風向変更装置は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と、左右方向に風向を変化させる第２の風向変更手段とを設け、前記第１の風向変更手段は、前記ルーバーの送風先端側に回動自在に装着し、前記第２の風向変更手段は、前記第１の風向変更手段の下面に回動自在に設け、前記第１の風向変更手段は、第１の風向板部と、前記第１の風向板部の両側に第１の風向板支持受部とを備え、前記第１の風向板部は、前記ルーバーにおける先端側の第１の先端側風向板部分と、前記ルーバーにおける根元側の第１の根元側風向板部分とを有し、前記第１の先端側風向板部分は、前記第１の根元側風向板部分より上方に設け、前記第１の根元側風向板部分は、前記ルーバーの下方に設けられ、前記第１の根元側風向板部分の送風根元側端部から伸びる第３の風向板部を備え、前記第３の風向板部は、前記ルーバー側へ傾斜し、前記第３の風向板部の先端が、前記ルーバーに接触することによって、前記ルーバーと前記第１の根元側風向板部分は、平行かつ一定の空間を設ける。
【００１３】
これにより、送風手段によって、本体ケースの送風口から上方向に吹き出した空気が、第１の風向変更手段に当たり、上下方向に風向が変化し、同時にその空気が第１の風向変更手段の下面に設けた第２の風向変更手段によって、左右方向に風向を変化させることができるものである。また、送風口から送風される空気を障害なく前記第１の風向変更手段の下側に取り込み、前記第１の風向変更手段１２に沿って流れる空気を自在に左右方向に変化させることができるものである。また、ビビリ音を抑制できる。結果として、風向変更装置の風向調節を更に向上することができるものである。
【００１４】
また、前記第１の風向変更手段は、第１の風向板部と、前記第１の風向板部の両側に第１の風向板支持受部とを備え、前記ルーバーは、送風先端部の両側に送風先端方向に伸びる第１の風向板支持部を設け、これら両側の前記第１の風向板支持部間に、前記第１の風向変更手段を軸支させる構成とする。
【００１５】
これにより、前記第２の風向変更手段から左右方向に送風された空気を、前記第１の風向板支持部と前記第１の風向板支持受部で遮ることなく送風させることができる。
【００１６】
また、前記第２の風向変更手段は、第２の風向板部と、第２の風向板支持枠部とを備え、前記第１の風向変更手段の下面に前記第２の風向板支持枠部を設け、前記第２の風向板支持枠部と前記第１の風向変更手段との間に回動自在に前記第２の風向板部を備える構成とする。
【００１７】
これにより、第２の風向板部を容易に操作し、左右方向の送風範囲を任意に調節できるものである。
【００１８】
また、前記第２の風向板部は、前記ルーバーにおける先端側の第２の先端側風向板部分と、前記ルーバーにおける根元側の第２の根元側風向板部分とを有し、前記第２の先端側風向板部分の面積は、前記第２の根元側風向板部分の面積より大きくする構成とする。
【００１９】
これにより、前記第１の風向変更手段１２に沿って流れる空気を、まず、前記第２の根元側風向板部分で捉え、次に、面積の大きい前記第２の先端側風向板部分で広く捉えて加速的に左右方向に送り出し、左右方向の風向を自在に変化させることができるものである。
【００２４】
（実施の形態１）
以下本発明の一実施形態を添付図面を用いて説明する。図１は、本発明の実施形態１の風向変更装置の斜視図である。図２は、本発明の実施形態１の風向変更装置の本体の断面概略を示す図である。図１および２に示すように、１は縦長箱状の本体ケースで、この本体ケース１の背面には吸気口２を、上面には送風口３が設けられている。
【００２５】
本体ケース１内には、圧縮機（図示せず）と、凝縮器４、蒸発器５を備えた冷凍サイクルと、除湿ローター６からなる除湿手段が設けられている。
【００２６】
すなわち、上記先行文献にも類似する構成が記載されているので、ここでは説明を簡略化するが、本実施形態の除湿動作は以下のようになっている。先ずモーター７によりファン８を駆動すると、吸気口２から室内空気が本体ケース１内に吸入され、この空気の大部分は凝縮器４で加熱され、相対湿度が低くなった状態で、送風口３から室内に送風されるようになっている。
【００２７】
また、送風手段であるファン８により本体ケース１内に吸入された空気の一部は、凝縮器４で加熱され、相対湿度が低くなった状態で除湿ローター６の放湿部を通過し、この時この放湿部からの放出湿度を伴って次に蒸発器５へと誘導され、この蒸発器５で冷却され、ここで湿気を結露させる。この結露水はドレインパン９を介してタンク１０中に溜められる。
【００２８】
また、蒸発器５で結露しなかった湿気は除湿ローター６の吸湿部で吸湿され、この吸湿部は除湿ローター６の回転によりその後上記放湿部となり、これにより捕らえた湿気を加熱空気に再放出させ、次に蒸発器５で冷却し、湿気を結露させて除去する。
【００２９】
このような除湿動作により、乾燥した空気が生成され、この乾燥空気が上述の送風口３から本体ケース１後方の室内に送風されるようになっている。
【００３０】
したがって、この送風部分に洗濯物を干していれば、乾燥が効率的に進むものとなるのである。
【００３１】
図３は、本発明の実施形態１の風向変更装置のルーバー部分の斜視図である。図３は、ルーバーを９０度上方向に回動させた状態である。図２、図３に示すように、本実施形態における特徴点は、送風口３に設けたルーバー１１部分にある。本体ケース１は、縦長で左右方向が前後方向より長い箱形状で、上面には、上方に開口する略横長四角形状の送風口３を有し、この送風口３の上方に所定間隔をおいて、送風口３を覆ったルーバー１１を備えている。このルーバー１１は、回動手段である電動機によって上下方向に往復回動し、送風口３から吹き出す空気の風向を変化させている。更に、このルーバー１１には、上下方向に風向を変化させる第１の風向変更手段１２を設け、第１の風向変更手段１２には左右方向に風向を変化させる第２の風向変更手段１３を設ける。
【００３２】
図４は、ルーバー１１と第１の風向変更手段１２の分解斜視図である。図４は、ルーバー１１を下方から見た図である。図３および図４に示す通り、第１の風向変更手段１２は、ルーバー１１の送風先端側に上下方向へ回動自在に装着され、第２の風向変更手段は、前記第１の風向変更手段１２の下側に左右方向へ回動自在に装着されている。第１の風向変更手段１２を上下方向へ回動すると、第２の風向変更手段１３も上下方向へ回動し、第１の風向変更手段があらゆる位置において、第２の風向変更手段１３によって左右方向の風向調整が可能なものである。
【００３３】
すなわち、送風手段によって、本体ケース１の送風口３から上方向に吹き出した空気が、第１の風向変更手段１２の下面に当たり、上下方向に風向が変化する。そして、第１の風向変更手段１２には、左右方向に風向を変化させる第２の風向変更手段１３を備えている。ここで、第２の風向変更手段１３は、第１の風向変更手段１２の下側に回動自在に装着しており、第１の風向変更手段１２に沿って流れる空気を自在に左右方向に変化させることができるものである。結果として、風向変更装置の左右方向の風向調節を更に向上することができるものである。
【００３４】
更に、第１の風向変更手段１２について詳しく説明すると、第１の風向変更手段１２は、第１の風向板部１４と、第１の風向板部１４の両側に第１の風向板支持受部１５とを備えている。ルーバー１１は、ルーバー１１の送風先端部の両側に、送風先端方向に伸びる第１の風向板支持部１６を設け、これら両側の第１の風向板支持部１６間に、第１の風向変更手段１２を軸支させたものである。
【００３５】
具体的には、ルーバー１１は、本体ケース１における左右方向に長い略横長四角形状の平板で、この平板の左右両端には、ルーバー１１に対して直角下方に延び、更に送風先端方向に延びる細長い第１の風向板支持部１６を設け、この第１の風向板支持部１６の根元側には、外方に延びた円柱形状のルーバー軸部１７を備えている。このルーバー軸部１７は、ルーバー１１を送風口３に軸支させるものである。一方、第１の風向板支持部１６の先端側には、内方に延びた突起状の軸部１９を備えている。この軸部１９が、後述する軸受部１８に入り、ルーバー１１に第１の風向変更手段１２が回動自在に装着される。
【００３６】
第１の風向変更手段１２は、本体ケース１における左右方向に長い略横長四角形状の平板である第１の風向板部１４と、この第１の風向板部１４の両側に第１の風向板支持受部１５を備えている。第１の風向板部１４は、ルーバー１１における先端側の第１の先端側風向板部分２５と、ルーバー１１における根元側の第１の根元側風向板部分２６とで構成されている。第１の風向板支持受部１５は、第１の先端側風向板部分２５の両端から下方に延びた第１の風向板支持受部１５を備えている。第１の風向板支持受部１５には、円形の孔である軸受部１８を設けている。この軸受部１８に、第１の風向板支持部１６の突起状の軸部１９が、回動自在に入り、ルーバー１１に第１の風向変更手段１２が装着される。
【００３７】
これにより、第２の風向変更手段１３から左右方向に送風された空気を、第１の風向板支持部１６と前記第１の風向板支持受部１５で遮られることなく送風させることができる。
【００３８】
結果として、風向変更装置の風向調節を更に向上することができるものである。
【００３９】
図５に示す通り、第２の風向変更手段１３は、第２の風向板部２０と、第２の風向板支持枠部２１とを備え、第１の風向変更手段１２の下面に第２の風向板支持枠部２１を設け、第２の風向板支持枠部２１と第１の風向変更手段１２との間に回動自在に第２の風向板部２０を備える。
【００４０】
具体的には、第２の風向板部２０は、第１の風向変更手段１２と垂直に位置し、四角形を組み合わせた形状の一部曲面を持つ平板で、長手方向の辺部である上端部と下端部とから上方に延びた円柱形状の支持部（図示せず）および下方には第２の風向板支持枠部２１から延びた円柱支持枠部を挿入するための軸穴部（図示せず）を持ち、第１の風向変更手段１２と第２の風向板支持枠部２１との間で軸支させている。
【００４１】
第２の風向変更手段１３の構成について、更に詳しく説明すると、第２の風向板部２０は、左方向と右方向で、それぞれ２枚以上で構成され、かつ、連結棒２２によって左方向と右方向がそれぞれ連結されている。連結棒２２との接合部は軸支されており、回動自在に動作させることができ、前述の第２の風向板支持枠部２１およびルーバー１１との接合部とは並行になるように配置し、連結された２枚以上の第２の風向板部２０を連動して回動させる構成とする。
【００４２】
第２の風向板支持枠部２１は、コの字形状をしており、コの字の内側には第２の風向板部２０の軸穴部に挿入される円柱支持部を第１の風向板部１４に垂直に設け、第２の風向板部２０を軸支している。さらに、第２の風向板支持枠部２１には第１の風向板部１４と一体化するための固定柱を設け、中央と両端の３箇所にて溶着固定している。すなわち、第２の風向板部２０を稼動させることにより、本体ケース１における左右方向の風向を容易に変更できるものである。
【００４３】
第２の風向板部２０の構成について更に詳しく説明すると、第２の風向板部２０は、ルーバー１１における先端側の第２の先端側風向板部分２３と根元側の第２の根元側風向板部分２４から構成される。第２の先端側風向板部分２３は第１の風向変更手段１２における、先端側の第１の先端側風向板部分２５の下側に位置し、第２の根元側風向板部分２４は第１の風向変更手段１２における、根元側の第１の根元側風向板部分２６の下側に位置し、第２の先端側風向板部分２３は第２の根元側風向板部分２４より面積が大きい。また、第２の先端側風向板部分２３は四角形の曲面形状をしており、左側に位置するものは左端方向へ湾曲しており、右側に位置するものは右方向に湾曲させる。これにより、左右方向の風向調節を更に向上することができるものである。
【００４４】
具体的には、図８（ａ）に示すごとく、第２の風向板部２０を送風先端側が広くなるように回動させると、矢印に示すごとく、送風口３から吹出された空気が、まず、第２の根元側風向板部分２４に捉えられ、本体ケース１の左右方向に送られ、さらに、幅が広く、面積が大きい第２の先端側風向板部分２３に捉えられ、湾曲した面で加速的に左右に幅広く送風可能となる。本発明の風向変更装置を用いて洗濯物を乾燥した場合に、特に衣類量が多い場合に有用である。
【００４５】
また、図８（ｂ）に示すごとく、第２の風向板部２０を送風先端側が狭くなるように回動させると、矢印に示すごとく、送風口３から吹出された空気が、第２の根元側風向板部分２４に捉えられ、中央に寄せられ、湾曲した面で整流し、抵抗なく強い風を集中的に送風することが可能となる。除湿装置として洗濯物を乾燥した場合に、特に少量の衣類をすばやく乾かす場合に有効である。
【００４６】
また、第１の風向板部１４の構成について詳しく説明すると、図５に示すように、第１の風向板部１４は、ルーバー１１における先端側の第１の先端側風向板部分２５とルーバー１１における根元側の第１の根元側風向板部分２６とで構成され、第１の先端側風向板部分２５は第１の根元側風向板部分２６よりも上方に設ける構成とする。すなわち、第１の風向板部１４は一定の段差を持つことになり、第１の根元側風向板部分２６上方の一段低くなった部分にルーバー１１の平板部を設けると、ルーバー１１の表面が平滑になり、外観上好ましいという利点もある。このとき、第１の風向板部１４の下面にも段差が生じ、第１の先端側風向板部分２５の方が一段高くなる。これにより、第２の先端側風向板部分２３の面積をより大きくすることが可能となり、結果として、左右方向の風向調節を更に向上することができるものである。
【００４７】
ここで、図５、図６および図７を用いて、ルーバーに装着された第１の風向変更手段１２の動作について、詳しく説明する。図５は、ルーバー１１の平板部分と第１の風向変更手段１２の第１の風向板部１４に隙間を設けず、平行な位置関係に保持された場合のルーバー部分の断面図である。このとき、送風口３から送風された空気は、まず、第１の風向変更手段１２の下面に当たり、上下方向の風向が変化する。次に第２の風向板部２０によって、左右方向に風向調節され、送り出されるという構成となる。
【００４８】
図６は、ルーバー１１の平板部分に対して第１の風向変更手段１２の第１の風向板部１４を傾斜させ、距離を設けて保持した場合のルーバー部分の断面図である。図７は、ルーバー１１の平板部分に対して第１の風向変更手段１２の第１の風向板部１４を傾斜させ、距離を設けて保持した場合のルーバー部分の斜視図である。
【００４９】
このとき、第１の風向変更手段１２は両側に設けられた第１の風向板支持受部１５の軸部１９を中心に回動する。このようにして、上下方向の風向を容易に変更できるものである。特に、図６および図７の状態においては第１の根元側風向板部分２６の送風根元側端部から伸びる第３の風向板部２７が送風口３から捉えた空気を効率よく第１の根元側風向板部分２６の下側に送ることが可能となる。結果として、上下方向の風向調節が向上し、その空気を第２の風向板部２０に送ることによって、左右方向の風向調節を更に向上することができるものである。
【００５０】
図６は、ルーバー１１の平板部分に対して、第１の風向変更手段１２の第１の風向板部１４を傾斜させ、距離を設けて保持した場合のルーバー部分の断面図および斜視図である。
【００５１】
図４、図６に示すように、このとき、第１の風向変更手段１２は両側に設けられた第１の風向板支持受部１５の軸部１９を中心に回動する。このようにして、上下方向の風向を容易に変更できるものである。
【００５２】
さらに、第１の根元側風向板部分２６の送風根本側端部には、ルーバー１１側へ傾斜した第３の風向板部２７を備える。図５の状態において、第３の風向板部２７の先端が、ルーバー１１に接触することによって、ルーバー１１と第１の根元側風向板部分２６は平行かつ一定の空間を設け、第１の風向変更手段１２の回動を固定する補助手段となっている。このように、ルーバー１１と第１の根元側風向板部分２６との間に空間を設けることによって、ルーバー１１の下面と、第１の根元側風向板部分２６の上面とが直接接触する場合に比べて、ビビリ音を抑制できる。
【００５３】
また、図６の状態においては、矢印で示すごとく、第１の根元側風向板部分２６の送風根元側端部から伸びる第３の風向板部２７が、送風口３から送風される空気を捉え、効率よく第１の根元側風向板部分２６の下側に送ることが可能となる。結果として、上下方向の風向調節が向上し、その空気を第２の風向板部２０に送ることによって、左右方向の風向調節を更に向上することができるものである。
【産業上の利用可能性】
【００５４】
以上のように本発明は、上方に開口する送風口を有する本体ケースと、この本体ケース内に設けた送風手段と、前記送風口の上方を、所定間隔をおいて覆った可動自在のルーバーとを備え、前記ルーバーには、上下方向に風向を変化させる第１の風向変更手段と、左右方向に風向を変化させる第２の風向変更手段とを設け、前記第１の風向変更手段は、ルーバーの送風先端側に回動自在に装着し、前記第２の風向変更手段は、前記第１の風向変更手段の下側に回動自在に装着し、前記第１の風向変更手段は回動すると、前記第２の風向変更手段と連動して移動し、前記第１の風向変更手段のあらゆる位置において、前記第２の風向変更手段に沿って流れる空気を自在に左右方向に変化させることができる構成としたものであり、風向変更装置の風向変更方向を更に向上することができるものである。
【００５５】
結果として、風向変更装置の風向方向調節を更に向上することができるものである。
【００５６】
従って、家庭用や事務所用などの、除湿機などの空調装置の吹出口に使用される風向変更装置として活用が期待されるものである。
【符号の説明】
【００５７】
１      本体ケース
２      吸気口
３      送風口
４      凝縮器
５      蒸発器
６      除湿ローター
７      モーター
８      ファン
９      ドレインパン
１０      タンク
１１      ルーバー
１２      第１の風向変更手段
１３      第２の風向変更手段
１４      第１の風向板部
１５      第１の風向板支持受部
１６      第１の風向板支持部
１７      ルーバー軸部
１８      軸受部
１９      軸部
２０      第２の風向板部
２１      第２の風向板支持枠部
２２      連結棒
２３      第２の先端側風向板部分
２４      第２の根元側風向板部分
２５      第１の先端側風向板部分
２６      第１の根元側風向板部分
２７      第３の風向板部
【図１】
0006557852.tif 000002
【図２】
0006557852.tif 000003
【図３】
0006557852.tif 000004
【図４】
0006557852.tif 000005
【図５】
0006557852.tif 000006
【図６】
0006557852.tif 000007
【図７】
0006557852.tif 000008
【図８】
0006557852.tif 000009